【事件の表示】
　特許第３４０１５９５号「茶刈機等における刈刃体の支持構造」の請求項１ないし５に係る特許に対する特許異議の申立てについて、次のとおり決定する。
【結　論】
　訂正を認める。
　特許第３４０１５９５号の請求項１ないし４に係る特許を維持する。
【理　由】
１．手続きの経緯
　本件特許第３４０１５９５号発明は、平成１１年１２月６日（優先権主張　平成１１年１０月２８日）に出願されたものであり、平成１５年２月２８日にその特許権の設定登録がなされ、この特許に対し、異議申立人、株式会社共立及び株式会社寺田製作所よりそれぞれ特許異議の申立てがなされ、取消理由を通知したところ、平成１６年１１月９日に訂正請求書と意見書が提出されたものである。
　
２．訂正請求について
２-1．訂正の内容
　特許権者が求めている訂正の内容は、次のとおりである（下線部分が訂正個所である）。
（１）訂正事項ａ
　特許明細書の特許請求の範囲における請求項１を削除する。
（２）訂正事項ｂ
　特許明細書の特許請求の範囲に記載された「【請求項２】　前記刈刃ユニットにおける刈刃支持ガイド板と、刈刃体によって刈り取られた茶枝葉を導くために本体部に具えた案内板との間を分断自在としたことを特徴とする請求項１記載の茶刈機等における刈刃体の支持構造。」（【請求項１】　適宜の駆動源によって往復運動される刈刃体を具えて成る刈刃ユニットと、この刈刃ユニットを支持する本体部とを具えて成る茶刈機等において、前記刈刃ユニットは、刈刃体を支持する刈刃支持ガイド板と、駆動源から伝達される動力を刈刃体の往復運動に変換するための往復運動部とが一組立体として構成されたものであり、一方、前記駆動源は本体部に対して支持されるものであり、前記刈刃ユニットが本体部に対して装着された状態で、前記駆動源の出力軸の先端部分に形成したカップリング要素と、前記往復駆動部の入力軸の先端部分に形成したカップリング要素とが結合するように構成することにより、前記刈刃ユニットを本体部に対して着脱自在に取り付けるように構成したことを特徴とする茶刈機等における刈刃体の支持構造。）を、
　「【請求項
１
（３）訂正事項ｃ
　特許明細書の特許請求の範囲に記載された「【請求項３】　前記刈刃ユニットは刈刃体によって刈り取られた茶枝葉を導くための案内板を含み、この案内板と本体部のフレーム部材との間を分断自在としたことを特徴とする請求項１記載の茶刈機等における刈刃体の支持構造。」を、
　「【請求項
２
（４）訂正事項ｄ
　特許明細書の特許請求の範囲に記載された「【請求項４】前記本体部と、前記刈刃ユニットとには、相互に係合することで双方の位置決めを行うことのできる一対の係止機構を具えたことを特徴とする請求項１、２または３記載の茶刈機等における刈刃体の支持構造。」を、
　「【請求項
３
１または２
（５）訂正事項ｅ
　特許明細書の特許請求の範囲に記載された「【請求項５】前記本体部に対して装着される刈刃ユニットは、作業形態に応じて刈刃形態の異なる複数種の刈刃ユニットの内から適宜選択されたものであることを特徴とする請求項１、２、３または４記載の茶刈機等における刈刃支持構造。」を、
　「【請求項
４
１、２または３
（６）訂正事項ｆ
　特許明細書の段落【００１０】（本件特許公報２頁右欄４３行〜３頁左欄１９行）の記載を削除し、以下の段落番号を１繰り上げる。
（７）訂正事項ｇ
　特許明細書の発明の詳細な説明に記載された「また請求項２記載の茶刈機等における刈刃体の支持構造は、前記要件に加え、前記刈刃ユニットにおける刈刃支持ガイド板と、刈刃体によって刈り取られた茶枝葉を導くために本体部に具えた案内板との間を分断自在としたことを特徴として成るものである。この発明によれば、容易に且つ迅速に刈刃体の着脱作業を行うことができる。」（同公報３頁左欄１９〜２５行）を、
　「【課題を解決するための手段】
　
すなわち
１
適宜の駆動源によって往復運動される刈刃体を具えて成る刈刃ユニットと、この刈刃ユニットを支持する本体部とを具えて成る茶刈機等において、前記刈刃ユニットは、刈刃体を支持する刈刃支持ガイド板と、駆動源から伝達される動力を刈刃体の往復運動に変換するための往復運動部とが一組立体として構成されたものであり、一方、前記駆動源は本体部に対して支持されるものであり、前記刈刃ユニットが本体部に対して装着された状態で、前記駆動源の出力軸の先端部分に形成したカップリング要素と、前記往復駆動部の入力軸の先端部分に形成したカップリング要素とが結合するように構成することにより、前記刈刃ユニットを本体部に対して着脱自在に取り付けるように構成されるものであり、
従来煩わしい作業であった刈刃体の着脱をユニット交換で行うことができるため、機器の扱いに精通したメーカーの人間でなくとも容易に且つ迅速に行うことができる。また本体部と、刈刃体周辺部材等のそれぞれのモジュール化を図ることができ、異種仕様のものをより合理的に製造することが可能となる。更にまた、駆動源から刈刃体に供給される動力の伝達経路の形成を、刈刃ユニットを本体部に対して装着する一連の動作の中で簡素に行うことができるため、刈刃体の着脱作業に要する時間を著しく短縮することができる。更にまた、
（８）訂正事項（ｈ）
　特許明細書の発明の詳細な説明に記載された「また請求項３記載の茶刈機等における刈刃体の支持構造は、前記請求項１記載の要件に加え、前記刈刃ユニットは刈刃体によって刈り取られた茶枝葉を導くための案内板を含み、この案内板と本体部のフレーム部材との間を分断自在としたことを特徴として成るものである。この発明によれば、容易に且つ迅速に刈刃体の着脱作業を行うことができる。」（同公報３頁左欄２６〜３２行）を、
　「また請求項
２
適宜の駆動源によって往復運動される刈刃体を具えて成る刈刃ユニットと、この刈刃ユニットを支持する本体部とを具えて成る茶刈機等において、前記刈刃ユニットは、刈刃体を支持する刈刃支持ガイド板と、駆動源から伝達される動力を刈刃体の往復運動に変換するための往復運動部とが一組立体として構成されたものであり、一方、前記駆動源は本体部に対して支持されるものであり、前記刈刃ユニットが本体部に対して装着された状態で、前記駆動源の出力軸の先端部分に形成したカップリング要素と、前記往復駆動部の入力軸の先端部分に形成したカップリング要素とが結合するように構成することにより、前記刈刃ユニットを本体部に対して着脱自在に取り付けるように構成されるものであり、
従来煩わしい作業であった刈刃体の着脱をユニット交換で行うことができるため、機器の扱いに精通したメーカーの人間でなくとも容易に且つ迅速に行うことができる。また本体部と、刈刃体周辺部材等のそれぞれのモジュール化を図ることができ、異種仕様のものをより合理的に製造することが可能となる。更にまた、駆動源から刈刃体に供給される動力の伝達経路の形成を、刈刃ユニットを本体部に対して装着する一連の動作の中で簡素に行うことができるため、刈刃体の着脱作業に要する時間を著しく短縮することができる。更にまた、
（９）訂正事項ｉ
　特許明細書の発明の詳細な説明に記載された「更にまた請求項４記載の茶刈機」（同公報３頁左欄３３行）を、「更にまた請求項
３
（１０）訂正事項ｊ
　特許明細書の発明の詳細な説明に記載された「また請求項５記載の茶刈機等」（同公報３頁左欄４０行）を、「また請求項
４
　
２-2．訂正の適否
（１）訂正事項ａについて
　上記訂正事項ａは請求項１を削除するものであるから、特許請求の範囲の減縮を目的とするものである。
（２）訂正事項ｂについて
　上記訂正事項ｂは、請求項１を引用して記載されていた、特許査定時の請求項２を、独立形式の請求項として記載するとともに、請求項１を削除したことに伴う、請求項の番号を整合させるための訂正であるから、明りょうでない記載の釈明を目的とするものである。
（３）訂正事項ｃについて
　上記訂正事項ｃは、請求項１を引用して記載されていた、特許査定時の請求項３を、独立形式の請求項として記載するとともに、請求項１を削除したことに伴う、請求項の番号を整合させるための訂正であるから、明りょうでない記載の釈明を目的とするものである。
（４）訂正事項ｄ及びｅについて
　上記訂正事項ｄ及びｅは、請求項１を削除したことに伴う、引用する請求項の番号を整合させるための訂正であるから、明りょうでない記載の釈明を目的とするものである。
（５）訂正事項ｆないしｊについて
　上記訂正事項ｆないしｊは、発明の詳細な説明の記載を訂正後の特許請求の範囲の記載と整合させるための訂正であるから、明りょうでない記載の釈明を目的とするものである。
　そして、訂正事項ａないしｊによる訂正は願書に添付した明細書又は図面に記載した事項の範囲内においてするものであって、実質上特許請求の範囲を拡張し、又は変更するものではない。
　
２-3．むすび
　以上のとおりであるから、上記訂正は、特許法第１２０条の４第２項及び同条第３項において準用する特許法第１２６条第２項及び第３項の規定に適合するので、当該訂正を認める。
　
３．特許異議の申立てについて
３-1．異議申立て理由の概要
（１）異議申立人　株式会社共立は、下記の証拠方法を提示し、本件請求項１ないし５に係る発明は、甲第１ないし５号証に記載された発明に基いて当業者が容易に発明をすることができたものであるから、その特許は、特許法第２９条第２項の規定に違反してされたものであり、取り消されるべきである旨主張する。
　　　　　　　　　　　　　　　　記
　甲第１号証：実公昭６３−８１８２号公（以下、「刊行物１」という。）
　甲第２号証：実公昭４４−２８２６１号公報（以下、「刊行物２」という。）
　甲第３号証：実公平７−１１９２２号公報（以下、「刊行物３」という。）
　甲第４号証：特開平１１−２２５５４３号公報（以下、「刊行物４」という。）
　甲第５号証：特開平８−１１６７５１号公報（以下、「刊行物５」という。）
　
（２）異議申立人　株式会社寺田製作所は、下記の証拠方法を提示し、本件請求項１ないし５に係る発明は、甲第１ないし５号証に記載された発明に基いて当業者が容易に発明をすることができたものであるから、その特許は、特許法第２９条第２項の規定に違反してされたものであり、取り消されるべきである旨主張する。
　　　　　　　　　　　　　　　　記
　甲第１号証：実公平７−３９３９１号公報（以下、「刊行物６」という。）
　甲第２号証：実公昭５８−３１４８０号公報（以下、「刊行物７」という。）
　甲第３号証：実公平２−９６２８号公報（以下、「刊行物８」という。）
　甲第４号証：特開平１１−２２５５４３号公報（以下、「刊行物４」という。）
　甲第５号証：特開平３−１６４１０４号公報（以下、「刊行物９」という。）
　
３-2．本件発明
　上記「２．訂正請求について」で示したように上記訂正が認められるから、本件の請求項１ないし４に係る発明（以下、「本件請求項１の発明」・・・「本件請求項４の発明」という。）は、訂正後の特許明細書の特許請求の範囲の請求項１ないし４に記載された次の事項により特定されるものである。
　「【請求項１】　適宜の駆動源によって往復運動される刈刃体を具えて成る刈刃ユニットと、この刈刃ユニットを支持する本体部とを具えて成る茶刈機等において、前記刈刃ユニットは、刈刃体を支持する刈刃支持ガイド板と、駆動源から伝達される動力を刈刃体の往復運動に変換するための往復運動部とが一組立体として構成されたものであり、一方、前記駆動源は本体部に対して支持されるものであり、前記刈刃ユニットが本体部に対して装着された状態で、前記駆動源の出力軸の先端部分に形成したカップリング要素と、前記往復駆動部の入力軸の先端部分に形成したカップリング要素とが結合するように構成することにより、前記刈刃ユニットを本体部に対して着脱自在に取り付けるように構成されるものであり、前記刈刃ユニットにおける刈刃支持ガイド板と、刈刃体によって刈り取られた茶枝葉を導くために本体部に具えた案内板との間を分断自在としたことを特徴とする茶刈機等における刈刃体の支持構造。
【請求項２】　適宜の駆動源によって往復運動される刈刃体を具えて成る刈刃ユニットと、この刈刃ユニットを支持する本体部とを具えて成る茶刈機等において、前記刈刃ユニットは、刈刃体を支持する刈刃支持ガイド板と、駆動源から伝達される動力を刈刃体の往復運動に変換するための往復運動部とが一組立体として構成されたものであり、一方、前記駆動源は本体部に対して支持されるものであり、前記刈刃ユニットが本体部に対して装着された状態で、前記駆動源の出力軸の先端部分に形成したカップリング要素と、前記往復駆動部の入力軸の先端部分に形成したカップリング要素とが結合するように構成することにより、前記刈刃ユニットを本体部に対して着脱自在に取り付けるように構成されるものであり、前記刈刃ユニットは刈刃体によって刈り取られた茶枝葉を導くための案内板を含み、この案内板と本体部のフレーム部材との間を分断自在としたことを特徴とする茶刈機等における刈刃体の支持構造。
【請求項３】　前記本体部と、前記刈刃ユニットとには、相互に係合することで双方の位置決めを行うことのできる一対の係止機構を具えたことを特徴とする請求項１または２記載の茶刈機等における刈刃体の支持構造。
【請求項４】　前記本体部に対して装着される刈刃ユニットは、作業形態に応じて刈刃形態の異なる複数種の刈刃ユニットの内から適宜選択されたものであることを特徴とする請求項１、２または３記載の茶刈機等における刈刃支持構造。」
　
３-3．刊行物記載の発明
（１）刊行物１（実公昭６３−８１８２号公報）には、次の記載が認められる。
（１-a）「櫛状の上刃と下刃を重合し、左右往復運動させて茶葉を挟断する茶枝葉刈機において、前記の上刃と下刃の後縁に、適宜間隔にて略Ｔ字状の切欠付長孔を形成するとともに、基端には前記切欠と同方向に連結溝を形成し、上刃と下刃の上方には上面が平坦なガイド板を設け、該ガイド板の下面には前記切欠に対応する箇所につば付ピンを突設し、また上刃と下刃の基端方向には左右往復運動する駆動軸を設け、つば付ピンには切欠を、駆動軸には連結溝を夫々対応させ、上刃と下刃を前後方向にスライドさせてガイド板および駆動軸に掛合離脱自在とした、茶枝葉刈機のバリカン刃の取付構造。」（【実用新案登録請求の範囲】）、
（１-b）「１は茶畝上面弧状に形成した補強フレーム２の合着部３を被着したガイド板で、上面には何ら突出部を形成せず平坦とし、下面には該合着部３を貫通してつば部ピン４を適宜箇所に多数突設してなり、その基部５はギヤケース６に固設される。
　７はギヤケース６に軸支され、適宜な減速機構を介してエンジン８で回転駆動されるエキセン軸、９はその偏心運動を上刃１１と下刃１２に伝えるロツト。１０は、上刃１１と下刃１２を左右往復駆動するためのロツト９と上刃１１と下刃１２の枢支点たる駆動軸で、互いに対面する側に突出してある。
　上刃１１と下刃１２は、前記つば付ピン４の対応する箇所に切欠１３付長孔１４を形成するとともに、基端には前記駆動軸１０と係合する連結棒１５が形成され、切欠１３をガイド板１のつば付ピン４に対応させ、連結溝１５をギヤケース６内で駆動軸１０に対応させ、夫々の切欠１３に沿つて全体を前後方向にスライドさせて、ガイド板１に掛合してある。
　１６はギヤケースの蓋で、上刃１１と下刃１２の基部に対応する箇所には規制板１７が固設され、この規制板１７が上刃１１と下刃１２の基部の前後に嵌合し、上刃１１と下刃１２の左右往復動以外の動きを阻止する。」（１頁右欄２８行〜２頁左欄２４行）、
　上記記載及び図面の記載によると、刊行物１には、
　エンジン８によって櫛状の上刃１１と下刃１２を左右往復運動させて茶葉を挟断する茶枝葉刈機において、前記上刃１１と下刃１２は、その後縁に、適宜間隔にて略Ｔ字状の切欠１３付長孔１４を形成するとともに、その基端に前記切欠１３と同方向に連結溝１５を形成し、上刃１１と下刃１２の上方には上面が平坦なガイド板１を設け、該ガイド板１の下面には前記切欠１３に対応する箇所につば付ピン４を突設し、また上刃１１と下刃１２の基端方向には左右往復運動する駆動軸１０を設け、つば付ピン４には切欠１３を、駆動軸１０には連結溝１５を夫々対応させ、上刃１１と下刃１２を前後方向にスライドさせてガイド板１および駆動軸１０に掛合離脱自在とした、茶枝葉刈機のバリカン刃の取付構造（以下、「刊行物１の発明」という。）が記載されていると認められる。
（２）刊行物２（実公昭４４−２８２６１号公報）には、「背負式刈取機に対するチェンソーエンジン着装装置」に関し、「刈取機の長杆９の基側９′に取付体Ｂを結合、離脱がなされてチェンソーエンジン利用に転換がせられ、取付体ｂをボルト９″で長杆９の基側９′に取付けると二つのギヤ１，２でチェンソーエンジンの回転方向を刈取刃の正しい回転方向に転換せられチェンギヤ１０からチェンソーを取外しこのギヤ１０を取付体ｂのギヤ状の孔４に嵌合してチェンソーエンジンで刈取機の刈取刃が刈取回転する、そして取付体ｂの端側出部７にチェンソーエンジンａの側面の螺杆、５を挿通しナット止してこのエンジンａが刈取機の基側９′に着脱自在に取付けられチェンソーエンジンａが刈取機に利用せられて便利な特徴がある。」（１頁右欄５〜１８行）、と記載されている。
（３）刊行物３（実公平７−１１９２２号公報）には、「【請求項１】パワーユニツト（１）の本体（２）の一側部（４）に延びる出力軸（３）の端部に設けられた遠心クラツチ（５）のクラツチドラム（７）の外側端（12）を軸線方向に延長し、この延長した外側端に複数個の周溝（13）を形成し、作業機アタツチメント（14）のマウント部（15）を前記パワーユニツトの前記一側部に取付けると共に、前記作業機アタツチメントの従動軸（17）に設けられたドグクラツチ（20）のクラツチ爪部（21）を前記クラツチドラムの前記周溝にそれぞれ係合し、且つ前記ドグクラツチのインロー部（22）を前記クラツチドラム内周に配置することを特徴とする動力作業機。」（実用新案登録請求の範囲）と記載されている。
（４）刊行物４（特開平１１−２２５５４３号公報）には、次の記載が認められる。
（４-a）「更にこの昇降ブラケット１５に対しては剪枝機等の管理機ユニット３を取り付けるためのマウントパイプ１５ｂを設ける。なお符号１７はセットウィンチであり、このものは前記昇降ブラケット１５に対して一端を取り付けたウィンチワイヤ１７ａの繰り出し寸法を設定自在とした上、昇降ブラケット１５に取り付けた管理機ユニット３の作動位置を常に同一になるように設定しておくのである。更に昇降ブラケット１５の後方には例えばこの走行機ユニット２に対して摘採機等が搭載された場合に、摘採茶葉の後方への搬送を促すようにすることのできる案内体１８を取り付け、更にこの案内体１８の後方には不使用時に後端を上方に跳ね上げられるようにした荷台１９を設ける。」（４頁左欄３４〜４６行）、
（４-b）「次にこのような走行機ユニット２に取り付けられる管理機ユニット３について説明する。・・・まず管理機本体３０について説明すると、このものは例えば可搬式の剪枝機を直接流用することも可能であり、その構成は常法に従い、駆動源となるエンジン３２と、直接剪枝作業を担うバリカンタイプの刈刃３３とを主要部材とする。」（４頁右欄７〜１７行）、
（４-c）「刈刃３３はその案内部材として刈刃フレーム３４を具えるとともに、刈刃フレーム３４の後方にこれとほぼ一体の受け板３４ａを有する。」（４頁右欄２４〜２６行）。
（５）刊行物５（特開平８−１１６７５１号公報）には、「バリカン形刈払機」に関し、「前記刈刃支持板２０上面の中央から先端部に渡って、水平部の後縁を上方に折り曲げた断面略Ｌ字形の草寄せ板２１が設けられている。」（３頁右欄１１〜１４行）、と記載されている。
（６）刊行物６（実公平７−３９３９１号公報）には、次の記載が認められる。
（６-a）「走行台車２には、その一側部（図２及び図３で左側）にエンジン３及び送風機４を、他側部（図２及び図３で右側）に発電機５をそれぞれ搭載し、」（２頁右欄２３〜２６行）、
（６-b）「前後一対の支持フレーム１５，１５の左右両側端に固着された側板１６，１６間の前部下方に、茶樹畝Ａの上面の円弧の曲率と同じ曲率で弯曲するバリカン刃からなる刈刃１７が、往復動するように支持されている。」（２頁右欄４０〜４３行）、
（６-c）「刈刃１７の斜め上方には導風管１８が配設されており、この導風管１８から多数のノズル１９，１９…が突出されて、刈刃１７の上方から、刈刃１７の後方に設けた案内板２０に向け圧力風を吹き付け、刈刃１７により摘採された茶葉を後方に吹き飛ばすように，所定間隔に配設されている。」（２頁右欄４３〜４９行）、
（６-d）「上記側板１６，１６には前後方向に支持筒２２が突設され、この支持筒２２に、昇降体７，７の前側に設けられ、電動シリンダ２５により上下動するピストン部材２４の上端に固着された支持杆２３が挿通されて、全面摘採装置８が着脱可能に支持されている。また、電動シリンダ２５の伸縮により、ピストン部材２４、支持杆２３、支持筒２２を介して全面摘採装置８が上下動する。」（２頁右欄５０行〜３頁左欄７行）、
（６-e）「上記エンジン３の動力は、ベルト伝動系４４により送風機４に伝達されるが、ベルト伝動系４４にはテンションクラッチプーリ４５が設けられていて、このテンションクラッチプーリ４５の入り，切り操作を後部支柱３６に設けた送風機クラッチレバー４６により行う。送風機４の前側にはフレキシブル伝動ケース４７が設けられ、このフレキシブル伝動ケース４７に、送風機４からベルト伝動系４８を介して動力伝達される。このベルト伝動系４８にもテンションクラッチプーリ４９が設けられているが、このテンションクラッチプーリ４９の入り，切り操作は電動シリンダ５０によって行われる。フレキシブル伝動ケース４７からフレキシブルシャフト５１によって、フレキシブルシャフト支持部５２を介して刈刃伝動ケース５３に動力が伝達され、刈刃伝動ケース５３から垂下した伝動軸５４を刈刃駆動ケース５５に突入させて、刈刃１７を往復作動させるようにしている。」（３頁左欄４７行〜同頁右欄１３行）。
　上記記載及び図面の記載によると、刊行物６には、
　一対の支持フレーム１５，１５の左右両端に側板１６，１６を固着し、該側板１６，１６間の前部下方にバリカン刃からなる刈刃１７を往復運動するように支持し、刈刃１７の後方に案内板２０が設けて全面摘採装置８を構成し、側板１６，１６には前後方向に支持筒２２を突設し、この支持筒２２に支持杆２３を挿通することにより、全面摘採装置８を着脱可能に支持し、走行台車２に搭載されたエンジン３からの動力を送風機４に伝達し、該送風機４の前側にフレキシブル伝動ケース４７を設け、この伝動ケース４７からフレキシブルシャフト５１によって、フレキシブルシャフト支持部５２を介して刈刃伝動ケース５３に動力が伝達し、刈刃伝動ケース５３から垂下した伝動軸５４を刈刃伝動ケース５５に突入させて刈刃１７を往復作動させる茶葉摘採機（以下、「刊行物６の発明」という。）が記載されていると認められる。
（７）刊行物７（実公昭５８−３１４８０号公報）には、「２は機筺１の底板前端部にそれに沿つて左右動自在に取付けた弧状バリカン刃、３，４は機筺１の１側板前部の中間および下端に装着した減速器ケースおよびカムケースで、その減速器ケース３の内側部に支持した出力軸５の減速器ケース３内突入部に大径傘歯車６を取付けて下方突出部とカムケース４の中央部に支持したカム軸７の上方突出部とを軸継手８により連結し、・・・カム軸７のカムケース４内突入部に取付けたカムとバリカン刃２の１端部とをロットにより連繋する。」（２頁右欄４〜１４行）、と記載されている。
（８）刊行物８（実公平２−９６２８号公報）には、には、次の記載が認められる。
（８-a）「茶摘機の前後を開口した機筐１の底部前端に設けたバリカン式摘採刃
２
（８-b）「図面はこの考案の１実施例を示し、１５は安定板４の他側縁中間部に上方へ屈曲して設けた腕金で、これに縦長孔１６を穿つ。１７は安定板４の上方に設ける茶葉案内板で、その茶葉案内板１７および安定板４の前端部をバリカン式摘採刃２の台板３の後部の上下に重合してそれらをビス１８により固定し、また、図示してないが、茶葉案内板１７および安定板４の１側部も機筐１の１側壁５部に上記と同様に固定する。」（２頁左欄２８〜３６行）。
（９）刊行物９（特開平３−１６４１０４号公報）には、「バリカン形刈払機」に関し、「第８図に示すように、本体部１ａ側に対して刈刃４側をユニット化して取り替えができるようにすることができる。即ち刈刃側のユニット部材としては・・・刈刃４を下に凸に屈曲させた刈刃ユニットＵ１や、・・・刈刃４を直線状にした刈刃ユニットＵ２や、・・・刈刃４を上に凸に屈曲させた刈刃ユニットＵ３がある。またこの場合、・・・刈刃ユニットＵ１は、例えば平地の草を刈るときなどに使用し、・・・刈刃ユニットＵ２は、例えば畦道の側部に生えた草を刈るときなどに使用し、・・・刈刃ユニットＵ３は、例えば樹木仕立て等を行なう場合などに使用することができる。」（４頁左下欄１７行〜同頁右下欄１７行）と記載されている。
　
３-4．対比・判断
３-4-1．本件請求項１の発明について
　本件請求項１の発明と刊行物１又は６の発明とを対比すると、両者は、次の点で構成が相違する。
　本件請求項１の発明が、「刈刃ユニットにおける刈刃支持ガイド板と、刈刃体によって刈り取られた茶枝葉を導くために本体部に具えた案内板との間を分断自在とし」ているのに対し、刊行物１の発明は、刈刃支持ガイド板であるガイド板１に対し、上刃１１と下刃１２とを掛合離脱自在とするものであり、また、刊行物６の発明は、支持筒２２に支持杆２３を挿通可能にして、全面摘採装置８を着脱可能に支持するものであり、刊行物１又は６の発明は、刈刃支持ガイド板と茶枝葉を導くための案内板との間を分断自在に構成するものではない点。
　上記相違点について検討するに、刊行物２、３及び７には、駆動源の出力軸の先端部分と入力軸の先端部分とをカップリング要素によって結合することが開示されており、刊行物５には、バリカン形刈払機において、刈刃支持板２０上面の中央から先端部に渡って、水平部の後縁を上方に折り曲げた断面略Ｌ字形の草寄せ板２１を設けることが記載されており、刊行物９には、本体部１ａ側に対し、刈刃４側を、刈刃４を下に凸に屈曲させた刈刃ユニットＵ１や、刈刃４を直線状にした刈刃ユニットＵ２や、刈刃４を上に凸に屈曲させた刈刃ユニットＵ３に取り替えできるようにすることが記載されているが、刊行物２、３、５、７又は９に記載されたものは、茶刈機に関するものではなく、刈刃体によって刈り取られた茶枝葉を導くための案内板を備えていない。
　また、刊行物４には、昇降ブラケット１５の後方に、摘採茶葉の後方への搬送を促すようにすることのできる案内体１８を取り付けた構成が記載されているが、案内体１８は、管理機本体３０の刈刃フレーム３４に連結されておらず、さらに、刊行物８には、茶葉案内板１７および安定板４の前端部をバリカン式摘採刃２の台板３の後部の上下に重合してそれらをビス１８により固定することが記載されているが、ビス１８により固定していることからして、バリカン式摘採刃２の台板３と茶葉案内板１７との間を分断自在とする構成とは認められない。
　以上のとおり、刊行物２〜５及び７〜９には、本件請求項１の発明の「刈刃ユニットにおける刈刃支持ガイド板と、刈刃体によって刈り取られた茶枝葉を導くために本体部に具えた案内板との間を分断自在とし」た構成が記載されておらず、そして、本件請求項１の発明は、特許明細書記載の効果を奏するものであるから、本件請求項１の発明が刊行物１〜９に記載された発明に基づいて当業者が容易に発明をすることができたものとすることはできない。
　
３-4-2．本件請求項２の発明について
　本件請求項２の発明と刊行物１又は６の発明とを対比すると、両者は、次の点で構成が相違する。
　本件請求項２の発明が、「刈刃ユニットは刈刃体によって刈り取られた茶枝葉を導くための案内板を含み、この案内板と本体部のフレーム部材との間を分断自在とし」ているのに対し、刊行物１の発明は、刈刃支持ガイド板であるガイド板１から上刃１１と下刃１２とを掛合離脱自在とするものであり、また、刊行物６の発明は、支持筒２２に支持杆２３を挿通可能にして、全面摘採装置８を着脱可能に支持するものであり、刊行物１又は６の発明は、刈刃ユニットに含まれる案内板と本体部のフレーム部材との間を分断自在に構成するものではない点。
　上記相違点について検討するに、刊行物２、３及び７には、駆動源の出力軸の先端部分と入力軸の先端部分とをカップリング要素によって結合することが開示されており、刊行物５には、バリカン形刈払機において、刈刃支持板２０上面の中央から先端部に渡って、水平部の後縁を上方に折り曲げた断面略Ｌ字形の草寄せ板２１を設けることが記載されており、刊行物９には、本体部１ａ側に対し、刈刃４側を、刈刃４を下に凸に屈曲させた刈刃ユニットＵ１や、刈刃４を直線状にした刈刃ユニットＵ２や、刈刃４を上に凸に屈曲させた刈刃ユニットＵ３に取り替えできるようにすることが記載されているが、刊行物２、３、５、７又は９に記載されたものは、茶刈機に関するものではなく、刈刃体によって刈り取られた茶枝葉を導くための案内板を備えていない。
　また、刊行物４には、昇降ブラケット１５の後方に、摘採茶葉の後方への搬送を促すようにすることのできる案内体１８を取り付けた構成が記載されているが、案内体１８は、管理機本体３０の刈刃フレーム３４に連結されておらず、さらに、刊行物８には、機筐１の底部前端にバリカン式摘採刃
２
２
　以上のとおり、刊行物２〜５及び７〜９には、本件請求項２の発明の「刈刃ユニットは刈刃体によって刈り取られた茶枝葉を導くための案内板を含み、この案内板と本体部のフレーム部材との間を分断自在とし」た構成が記載されておらず、そして、本件請求項２の発明は、特許明細書記載の効果を奏するものであるから、本件請求項２の発明が刊行物１〜９に記載された発明に基づいて当業者が容易に発明をすることができたものとすることはできない。
　
３-4-3．本件請求項３及び４の発明について
　本件請求項３及び４の発明は、請求項１又は２を引用するものであるから、上記「３-4-1．本件請求項１の発明について」又は「３-4-2．本件請求項２の発明について」に記載した理由により、特許を取り消すことはできない。
　
３-5．むすび
　以上のとおりであるから、特許異議の申立ての理由によっては本件の請求項１ないし４に係る発明についての特許を取り消すことはできない。
　また、他に本件の請求項１ないし４に係る発明についての特許を取り消すべき理由を発見しない。
　よって、結論のとおり決定する。
【異議決定日】
平成１７年４月１９日（２００５．４．１９）
【訂正の要旨】
審決（決定）の【理由】欄参照。
（５４）【発明の名称】
茶刈機等における刈刃体の支持構造
（５７）【特許請求の範囲】
　【請求項１】　
適宜の駆動源によって往復運動される刈刃体を具えて成る刈刃ユニットと、この刈刃ユニットを支持する本体部とを具えて成る茶刈機等において、前記刈刃ユニットは、刈刃体を支持する刈刃支持ガイド板と、駆動源から伝達される動力を刈刃体の往復運動に変換するための往復運動部とが一組立体として構成されたものであり、一方、前記駆動源は本体部に対して支持されるものであり、前記刈刃ユニットが本体部に対して装着された状態で、前記駆動源の出力軸の先端部分に形成したカップリング要素と、前記往復駆動部の入力軸の先端部分に形成したカップリング要素とが結合するように構成することにより、前記刈刃ユニットを本体部に対して着脱自在に取り付けるように構成されるものであり、
　【請求項２】　
適宜の駆動源によって往復運動される刈刃体を具えて成る刈刃ユニットと、この刈刃ユニットを支持する本体部とを具えて成る茶刈機等において、前記刈刃ユニットは、刈刃体を支持する刈刃支持ガイド板と、駆動源から伝達される動力を刈刃体の往復運動に変換するための往復運動部とが一組立体として構成されたものであり、一方、前記駆動源は本体部に対して支持されるものであり、前記刈刃ユニットが本体部に対して装着された状態で、前記駆動源の出力軸の先端部分に形成したカップリング要素と、前記往復駆動部の入力軸の先端部分に形成したカップリング要素とが結合するように構成することにより、前記刈刃ユニットを本体部に対して着脱自在に取り付けるように構成されるものであり、
　【請求項３】　前記本体部と、前記刈刃ユニットとには、相互に係合することで双方の位置決めを行うことのできる一対の係止機構を具えたことを特徴とする請求項
１または２
　【請求項４】　前記本体部に対して装着される刈刃ユニットは、作業形態に応じて刈刃形態の異なる複数種の刈刃ユニットの内から適宜選択されたものであることを特徴とする請求項
１、２または３
【発明の詳細な説明】
　【０００１】
　【発明の属する技術分野】
　本発明は例えば茶刈機に適用することが好ましい構造に関するものであって、特に茶刈機からの刈刃体の取り外し及び茶刈機への刈刃体の取り付けを容易に且つ迅速に行うことができるようにした新規な茶刈機等における刈刃体の支持構造に係るものである。
　【０００２】
　【発明の背景】
　茶園で用いる茶刈機は、適宜のフレームに対して駆動源を搭載するとともに、この駆動源によって往復駆動される刈刃体と、この刈刃体に形成した歯によって刈り取られた茶葉を例えば後方の収葉袋に導くための案内板とを具えて構成されている。
　そして当然ながら前記歯は使用とともに切れ味が低下していくため、刃研ぎを行うことで切れ味の回復を図るものであり、更に数回の刃研ぎを行った後にはやがて新たな刈刃体との交換が必要となる。
　【０００３】
　このような刃研ぎまたは交換の際に刈刃体を茶刈機から取り外すにあたっては、従来の茶刈機における構造は、図１１に示すように刈刃体１０′が、刈刃支持ガイド板１１′に対してガイドピン１３′を用いて取り付けられているため、このガイドピン１３′を解除するとともに、往復駆動部１２′を分解して駆動機構と刈刃体１０′との接続部を解除する作業が必要となる。
　【０００４】
　しかしながら前記刈刃体１０′に形成された歯１０２′は鋭利な刃物であるため作業者は慎重さを要求され、更に二人以上の作業者が左右のバランスを保ちながら上記作業を行わなければならい。このような作業形態はユーザーたる茶農家の人が茶園で行う作業としては非常に煩わしく且つ長時間を要してしまうものであった。
　特に刃研ぎを行った刈刃体１０′を茶刈機Ｃ′に取り付けるにあたっては、上下一対の刈刃体１０′の隙間調整を要するものであり、この隙間調整作業を正確に行うことができるのは熟練した作業者に限られるものである。
　【０００５】
　このため現状では、茶農家の要請を受けたメーカー側のサービススタッフがユーザーの下に赴いて上述の煩わしい着脱作業を行うものであり、いったん替わりの刈刃体を装着して茶刈り作業の継続を図るようにしている。
　一方、取り外した刈刃体は作業場に持ち帰って歯の研磨を行い、再度ユーザーの下に赴いて再び取り付け作業を行うという作業形態が採られている。
　もちろん可搬式等小型で安価な茶刈機の場合には茶農家としても予備のものを用いて実質的な稼働率の低下を回避する余地もあるが、近時主流となっている自走式やレール走行式等の茶刈機は高価であるため刈刃体のメンテナンスだけのために装置全体の予備を備えておくのは実情に合わない。
　【０００６】
　一方、茶刈機における刈刃体には製造サイドの技術的な面で以下に示す独自の課題が存在するものである。すなわち茶刈機の仕様は、このものが茶樹に歯を作用させる機器であるという点で多くの共通部分を有するものの、摘採機、刈りならし機、浅刈り機、軽剪枝機、中刈り機及び刈り込み機等、刈り取り形態が異なる機器毎に異なっているものであって、それぞれの仕様に応じた専用の部品を要することとなっている。
　【０００７】
　そこでメーカーは、原動機や、これを含んだ本体部、更には刈刃体、往復駆動部等の部材については何通りかの仕様のものを用意しておいて、各々最適な組み合わせを選択することで、摘採機、刈りならし機、浅刈機、軽剪枝機、中刈機及び刈り込み機等を構成しているものである。
　とはいえ、前記刈刃体及び往復駆動部の組み合わせパターンは、刈り取り形態毎の負荷に応じてほぼ固定化されてくるものであって、上述した異種仕様の茶刈機の製造面での合理化を達成しようとした場合、更なる改善の余地が残されている。
　【０００８】
　そこで本発明者は、上述したユーザーにおける刈刃体のメンテナンスに係る問題点と、メーカーにおける製造上での問題点との、互いに一見関連のない問題点を更に究明した結果、双方の目的を同時に達成できるであろうという着想を得て、これに基づき新規な機構の開発を試みたものである。
　すなわち刈刃体と往復駆動部とが一体化された状態で付け替え自在となれば、本体部と、刈刃体周辺部材等とのそれぞれのモジュール化を図ることができ、異種仕様のものをより合理的に製造することが可能となり、更にユーザーにおけるメンテナンスもユニット交換で容易に刈刃体の交換が行えるであろうという具体的な着想を得るに至ったものである。
　【０００９】
　【開発を試みた技術課題】
　本発明はこのような背景並びに着想に基づいてなされたものであって、茶刈機からの刈刃体の取り外し及び茶刈機への刈刃体の取り付けを容易に且つ迅速に行うことができるとともに、異種仕様の茶刈機間での本体部の共通化を図るようにした新規な茶刈機等における刈刃体の支持構造を開発することを技術課題としたものである。
　【００１０】
　【課題を解決するための手段】
　
すなわち
１
適宜の駆動源によって往復運動される刈刃体を具えて成る刈刃ユニットと、この刈刃ユニットを支持する本体部とを具えて成る茶刈機等において、前記刈刃ユニットは、刈刃体を支持する刈刃支持ガイド板と、駆動源から伝達される動力を刈刃体の往復運動に変換するための往復運動部とが一組立体として構成されたものであり、一方、前記駆動源は本体部に対して支持されるものであり、前記刈刃ユニットが本体部に対して装着された状態で、前記駆動源の出力軸の先端部分に形成したカップリング要素と、前記往復駆動部の入力軸の先端部分に形成したカップリング要素とが結合するように構成することにより、前記刈刃ユニットを本体部に対して着脱自在に取り付けるように構成されるものであり、
　
この発明によれば、従来煩わしい作業であった刈刃体の着脱をユニット交換で行うことができるため、機器の扱いに精通したメーカーの人間でなくとも容易に且つ迅速に行うことができる。
　
また本体部と、刈刃体周辺部材等のそれぞれのモジュール化を図ることができ、異種仕様のものをより合理的に製造することが可能となる。
　
更にまた、駆動源から刈刃体に供給される動力の伝達経路の形成を、刈刃ユニットを本体部に対して装着する一連の動作の中で簡素に行うことができるため、刈刃体の着脱作業に要する時間を著しく短縮することができる。
　
更にまた、
　【００１１】
　また請求項
２
適宜の駆動源によって往復運動される刈刃体を具えて成る刈刃ユニットと、この刈刃ユニットを支持する本体部とを具えて成る茶刈機等において、前記刈刃ユニットは、刈刃体を支持する刈刃支持ガイド板と、駆動源から伝達される動力を刈刃体の往復運動に変換するための往復運動部とが一組立体として構成されたものであり、一方、前記駆動源は本体部に対して支持されるものであり、前記刈刃ユニットが本体部に対して装着された状態で、前記駆動源の出力軸の先端部分に形成したカップリング要素と、前記往復駆動部の入力軸の先端部分に形成したカップリング要素とが結合するように構成することにより、前記刈刃ユニットを本体部に対して着脱自在に取り付けるように構成されるものであり、
　この発明によれば、
従来煩わしい作業であった刈刃体の着脱をユニット交換で行うことができるため、機器の扱いに精通したメーカーの人間でなくとも容易に且つ迅速に行うことができる。
　
また本体部と、刈刃体周辺部材等のそれぞれのモジュール化を図ることができ、異種仕様のものをより合理的に製造することが可能となる。
　
更にまた、駆動源から刈刃体に供給される動力の伝達経路の形成を、刈刃ユニットを本体部に対して装着する一連の動作の中で簡素に行うことができるため、刈刃体の着脱作業に要する時間を著しく短縮することができる。
　
更にまた、
　【００１２】
　更にまた請求項
３
　この発明によれば、格別繊細な作業を要することなく、刈刃体の着脱作業を正確に行うことができる。
　【００１３】
　また請求項
４
　この発明によれば、単一の本体部を摘採用、浅刈用及び中刈用等として用いることができるため、メーカーにとっては異種仕様の茶刈機を合理的に製造することができ、一方、ユーザーにとっては個々の茶刈機をそれぞれ専用機として購入する場合に比べてイニシャルコスト及びランニングコストを著しく低減することができる。
　そしてこれら各請求項記載の発明の構成を手段として前記課題の解決が図られる。
　【００１４】
　【発明の実施の形態】
　以下図面に基づいて本発明の茶刈機等における刈刃体の支持構造について具体的に説明する。なお本明細書中では茶葉の収穫を目的とした摘採機並びに茶園管理のために茶畝を刈り揃えるための各段階に応じて用いられる刈りならし機、浅刈機、軽剪枝機、中刈機及び刈り込み機、裾刈機等を総称して茶刈機と呼ぶものとする。更に茶刈機は基本的には可搬式のものでもよいが、近時の省力化等の傾向に従い、このものに適宜の走行機構を組み合わせることで、自走式、レール走行式、乗用式等種々の進行形態を採るようにすることもできる。
　なお茶刈機の基本的な構成はすでに従来の装置において公知となっている構成を採り、また部分的には将来開発されるであろう構成を適用することが可能である。
　【００１５】
　本実施の形態では、茶刈機として乗用式摘採機Ｃを用いて説明を行う。前記乗用式摘採機Ｃは図１に示すように、茶刈機ユニットＵを走行台車Ｂに対して着脱自在に取り付けるように構成されるものであって、前記茶刈機ユニットＵは茶葉Ａに対して直接作用する刈刃ユニット１を本体部２に対して着脱自在に取り付けるように構成するものである。
　【００１６】
　ここで前記刈刃ユニット１及び本体部２についての定義について言及しておくと、まず前記刈刃ユニット１は茶葉Ａに対して直接作用するものであって、請求項１で定義したように、刈刃体１０と、この刈刃体１０を支持する刈刃支持ガイド板１１と、駆動源５から伝達される動力を刈刃体１０の往復運動に変換するための往復駆動部１２とを一組立体として構成したものである。
　また前記本体部２は、前記刈刃ユニット１を支持する強度メンバーとなるものであり、茶刈機ユニットＵから前記刈刃ユニット１に含まれる諸部材を除外した部材によって構成される。本実施の形態では風送管３、駆動源５等の部材と、これらを支持する枠部材とによって構成されるものである。
　【００１７】
　前記本体部２について詳細に説明すると、前記本体部２の枠部材は一例として前後に平行したアルミパイプ等の軽量な部材を適宜適用した上部フレーム２０の両端部分にそれぞれ側板２１、側板２２を具えるとともに、これら側板２１、２２の下部に案内板２３を具えることで、正面視でいくぶんか湾曲した矩形状の開口を有するように構成されるものである。
　【００１８】
　そして前記側板２２の外側に対しては、図２に示すように後述する刈刃ユニット１におけるスリット１６ａと係合するピン２２ａを具えるものである。
　また前記案内板２３は後述する刈刃体１０の後方に位置するものであり、例えばアルミニウム等の金属板をアーチ側に湾曲させるとともに、その長手方向に沿って複数カ所に雌ネジ孔２３ａを形成する。
　【００１９】
　次にこのような枠部材に保持される諸部材について説明する。
　風送管３は、前記案内板２３の前方斜め上方に、前記上部フレーム２０のほぼ全幅にわたって横臥状態に設けられるものであって、このものは案内板２３上に指向するように多数本が分岐形成された分岐ノズル３ａから、後述する駆動源５によって駆動されるファンユニット３０より供給されるエアを噴出するものである。
　【００２０】
　また駆動源５は、前記上部フレーム２０の間に保持されるようにして搭載されるものであって、本実施の形態では一例として２サイクルエンジン等を適用するものであるが、もちろん他の電動機、オイルモータ等、要は後述する刈刃体１０を駆動することができるようなものであれば、どのようなものであっても差し支えない。
　そして駆動源５の下面には出力軸５０が突出するとともにファンユニット３０を貫通しており、この出力軸５０の下端部分にカップリング要素たる凹部５０Ａが形成されている。凹部５０Ａの形状は後述する凸部１５Ａの形状に対応させるものであって、円形状の横断面において中心線からその両側に同寸法離れた二本の直線によって区画された部分を、出力軸５０の下端面から上方に一定範囲にわたって切除した形状とする。
　【００２１】
　また前記上部フレーム２０の左右に位置する側板２１、２２には、前記走行台車Ｂへの組み付け手段の一例である金属パイプを適用した組付体６が設けられる。
　【００２２】
　次に前記本体部２とともに茶刈機ユニットＵを構成する刈刃ユニット１について詳細に説明する。
　このものは刈刃体１０の周辺部材のモジュール化を図ったものであって、上下一対の刈刃体１０と、これら刈刃体１０を摺動自在に支持する刈刃支持ガイド板１１と、駆動源５から伝達される動力を刈刃体１０の往復運動に変換するための往復駆動部１２とを一組立体として構成して成るものである。そして前記上下一対の刈刃体１０が交互に往復動することで、各刈刃体１０に形成した歯１０２のバリカン作用により茶葉Ａの摘採を行うものである。
　【００２３】
　以下、刈刃ユニット１を構成する諸部材について説明する。
　まず前記刈刃体１０は図４の斜視図に示すように、一例としてステンレス材を平面視Ｌ字形に加工して成るものであり、その長辺部である摺動部１０１に対して長手方向に沿って適宜の間隔で前記歯１０２を形成するとともに、短辺部には角を丸くした長方形状のエキセンプレート受入部１０３を形成して成るものである。
　【００２４】
　また前記刈刃支持ガイド板１１は比較的肉厚の充分な剛性を持った金属部材であって、茶畝にほぼ沿うような湾曲した形状を有し、前記本体部２の幅寸法とほぼ同じ幅寸法を有するものである。そしてこの刈刃支持ガイド板１１に対して摺動自在に上下一対の刈刃体１０をガイドピン１３を用いて取り付ける。また刈刃支持ガイド板１１には、その長手方向に沿って複数カ所に孔１１ａを形成するものとする。
　【００２５】
　また前記刈刃支持ガイド板１１の一端側には前記往復駆動部１２を組み付けるものであって、この往復駆動部１２はいわゆるエキセントリックシャフトの機構を用いたものであり、前記駆動源５の出力軸５０の回転運動を刈刃体１０の直線往復運動に変換する機構を具えるものである。
　【００２６】
　前記往復駆動部１２の具体的な構造は図４に示すように、まず入力軸１５の一端に対して、実質的に偏心運動を行わせる上下二枚に重なったエキセンプレート１４を設けるものである。この二枚のエキセンプレート１４はその位相を１８０°異ならせて構成されるものであって、個々のエキセンプレート１４に対してそれぞれケージ付きのニードルベアリング１４ａを外嵌する。そして上下一対の刈刃体１０におけるエキセンプレート受入部１０３内にそれぞれ前記ニードルベアリング１４ａを外嵌したエキセンプレート１４を位置させる。更にケーシング１２Ａに固定された軸受１４ｂに対して入力軸１５を挿通するようにして、刈刃体１０におけるエキセンプレート受入部１０３の周辺をケーシング１２Ａ内に収容するものである。
　【００２７】
　このとき本実施の形態では入力軸１５の上端部分はケーシング１２Ａの上面より突出した状態となっており、この入力軸１５の上端部分にカップリング要素たる凸部１５Ａを形成する。また凸部１５Ａの形状は前記凹部５０Ａの形状に対応させるものであって、円形状の横断面において中心線からその両側に同寸法離れた二本の直線によって区画された部分の外側を、入力軸１５の上端面から下方に一定範囲にわたって切除した形状とする。
　【００２８】
　更に前記ケーシング１２Ａにおける刈刃支持ガイド板１１側の側面には、図２に示すように平面視くの字形の側板１６が立設されるものであって、このものには前記本体部２における側板２２に具えたピン２２ａと係合するスリット１６ａを形成する。
　【００２９】
　刈刃ユニット１は一例として上述のような構造を有するものであり、前記入力軸１５の回転によってエキセンプレート１４が偏心運動をすると、上下一対の刈刃体１０が互いに行き違い方向に往復運動をして歯１０２がバリカン状の運動をするものである。
　なお、刈刃体１０の駆動構造としては上述の往復駆動部１２以外にも、片方の刈刃体１０のみを駆動するタイプのものや、ベベルギヤとユニバーサルジョイントとの組み合わせを用いて動力伝達を行うものなど、種々の構成が採り得るものである。
　【００３０】
　刈刃ユニット１及び本体部２は一例として上述した構造を有するものであって、これらを互いに組み付けることで茶刈機ユニットＵが構成される。具体的には図３に示すように、刈刃支持ガイド板１１を案内板２３に載置するとともに側板２２に具えたピン２２ａに対して、側板１６に形成したスリット１６ａを係合させ、このときカップリング要素たる凸部１５Ａ及び凹部５０Ａを相互に結合させるものである。なおこの時の作業手順の詳細については後述する。
　【００３１】
　そしてこのようにして構成した茶刈機ユニットＵを、走行台車Ｂに対して組み付けることで茶刈機の一例である乗用式摘採機Ｃが構成されるものである。ここで走行台車Ｂについて簡単に説明しておくと、走行台車Ｂは図１に示すように適宜のフレームＦに対して、走行体である無端軌道４０と、収葉コンテナ４１及びダクト４５を具えて成るものである。そして前記フレームＦの内側に茶刈機ユニットＵとの接続要素となる二本のロッドＲを具える。
　【００３２】
　そして前記茶刈機ユニットＵにおける本体部２に具えた二本の組付体６に対して、前記走行台車Ｂに具えたロッドＲを挿嵌させるようにした後、適宜固定を行うことで乗用式摘採機Ｃを構成するものである。
　【００３３】
　茶刈機の一例である乗用式摘採機Ｃは、一例として上述したような構成を有するものであり、適宜の保護カバーを刈刃体１０に装着した状態で出荷される。そして茶園においては以下に示すような手順によって刈刃ユニット１と本体部２との着脱、すなわち実質的な乗用式摘採機Ｃからの刈刃体１０の着脱作業を迅速且つ安全に行うものである。
　【００３４】
（１）刈刃ユニットの取り外し
　使用中の乗用式摘採機Ｃにおける茶刈機ユニットＵの刈刃体１０の保守、研磨等の必要が生じた場合には、作業者は駆動源５を停止した状態で、刈刃体１０に対して保護カバーを装着した上で更に以下のような手順で刈刃ユニット１の取り外しを行う。
　【００３５】
〔カップリング要素の設定〕
　作業者はまず結合状態にあるカップリング要素たる凸部１５Ａ及び凹部５０Ａを具えた入力軸１５及び出力軸５０を回転させて、図３（ｂ）に示すように双方の長手方向が側板１６及び側板２２に対して平行になるようにする。
　なお往復駆動部１２または駆動源５に対して適宜位置決め用のマーキングを付しておけばこのような操作を容易に行うことができる。
　【００３６】
〔係止機構及びカップリング要素の解除〕
　そしてビス１７を取り外した後、図３（ａ）に示すように刈刃ユニット１を保持してこのものを引き抜くことで、前記カップリング要素たる凸部１５Ａ及び凹部５０Ａの結合を解除するとともに、係止機構であるスリット１６ａとピン２２ａとの係合を解除する。このとき作業者は一組立体として構成された刈刃ユニット１を扱うことになるため、左右のバランスを保つ等の微妙な操作を行うことなく、実質的な乗用式摘採機Ｃからの刈刃体１０の取り外し作業を一人で容易且つ安全に行うことができる。
　【００３７】
（２）新たな刈刃ユニットの装着
　次いで別途用意しておいた保守、研磨済みの刈刃体１０を具えた刈刃ユニット１を、以下のような手順で本体部２に対して装着するものである。
　【００３８】
〔カップリング要素の設定〕
　作業者はまず図３（ａ）に示すように、カップリング要素たる凸部１５Ａ及び凹部５０Ａを具えた入力軸１５及び出力軸５０を回転させてこれらの長手方向がそれぞれ側板１６及び側板２２に対して平行になるようにする。
　【００３９】
〔係止機構及びカップリング要素の結合〕
　次いで刈刃ユニット１を保持して、刈刃支持ガイド板１１を案内板２３に載置するものであり、この際図３（ｂ）に示すように、側板２２に具えたピン２２ａに対して、側板１６に形成したスリット１６ａを係合させた状態で、刈刃ユニット１を本体部２側に押し込み、スリット１６ａの終端部分にピン２２ａを位置させる。
　このような一連の動作により、前記カップリング要素たる凸部１５Ａ及び凹部５０Ａが相互に結合するとともに、入力軸１５及び出力軸５０の中心が重なることとなる。
　なおこのとき吊りバネを用いるなどして刈刃ユニット１を本体部２に対して吊持状態にしておけば、このような作業を容易に行うことが可能となるものである。
　【００４０】
　続いて刈刃支持ガイド板１１に形成した孔１１ａ及び案内板２３に形成した雌ネジ孔２３ａに対してビス１７をねじ込むことで両者を固定するものである。
　このように刈刃体１０を具えた刈刃ユニット１を乗用式摘採機Ｃに固定された本体部２に組み付けることで、実質的に刈刃体１０を乗用式摘採機Ｃに対して装着する作業が簡易に行えるものであり、茶園においては乗用式摘採機Ｃの稼働率の低下が最小限に抑えられ、茶葉Ａの摘採を効率的に行うことができる。
　【００４１】
（３）刈刃ユニットの再生及び本体部への装着
　一方、すでに取り外した、切れ味の鈍った刈刃体１０を具えた刈刃ユニット１については、このものを適宜作業所に持ち込み、ガイドピン１３を解除し、往復駆動部１２を分解するとともに刈刃体１０を刈刃支持ガイド板１１から取り外し、歯１０２の刃研ぎを行う。そしてこの刃研ぎの完了した刈刃体１０を再度刈刃支持ガイド板１１に組み付けるとともに往復駆動部１２を組み立てることで使用可能な刈刃ユニット１を構成し、次の使用に備えて待機する。
　そして刈刃体１０の切れ味が鈍った時点で、上述した手法と同様にして、再生した刈刃ユニット１を乗用式摘採機Ｃに固定された本体部２に対して装着するものである。
　【００４２】
　【他の実施の形態】
　本発明は上述した実施の形態を基本となる実施の形態とするものであるが、本発明の技術的思想に基づいて以下に示す実施の形態を採ることもできる。
　【００４３】
〔本体部の形態を異ならせた実施の形態〕
　まず先の基本となる実施の形態においては、走行台車Ｂに対して、刈刃ユニット１と本体部２とを具えて成る茶刈機ユニットＵを着脱自在に取り付けるようにしたが、前記本体部２の形態を以下のように異ならせることもできる。つまり先の基本となる実施の形態における本体部２の形態は、本体部２の枠部材に対して風送管３、駆動源５等の部材を保持するようにしたものであり、これらの部材を一まとめとして走行台車Ｂから取り外すことを可能としたものであったが、この実施の形態では本体部２を走行台車Ｂに具えたダクト４５の一部に構成し、風送管３、駆動源５等の部材を走行台車Ｂ側に保持するものとする。
　具体的には図７に示すように、走行台車Ｂのダクト４５における導入部分をモノコックフレームとして把握されるような強度メンバーとして、この部分に風送管３、駆動源５等の部材を支持するものである。そしてこのダクト４５に対して刈刃ユニット１における刈刃支持ガイド板１１を取り付けることで茶刈機ユニットＵが構成されるものである。つまりこの実施の形態では、本体部２は走行台車Ｂと一体的に構成されるものであり、このような走行台車Ｂに対して、刈刃ユニット１を取り付けた時点で茶刈機ユニットＵが構成されるものとなる。
　【００４４】
〔作業形態に応じた複数種の刈刃ユニットを選択する実施の形態〕
　また先の基本となる実施の形態は、本発明を茶刈機の一例である摘採機について適用したものであるが、茶樹の管理に用いる刈りならし機、浅刈機、軽剪枝機、中刈機及び刈り込み機等他の茶刈機あるいは茶園管理以外に用いるトリマに対しても適用することが可能である。
　【００４５】
　このような種々の茶刈機に対して本発明を適用する場合には、本体部２に対して装着される刈刃ユニット１を、作業形態に応じて刈刃形態の異なるものを複数種用意しておくことで、単一の本体部２を摘採用、浅刈用及び中刈用等として用いることができるため、個々の茶刈機をそれぞれ専用機として購入する場合に比べてイニシャルコスト及びランニングコストを著しく低減することができる。
　【００４６】
　また先の基本となる実施の形態では、茶刈機については摘採機ユニットＵを走行台車Ｂに組み合わせることで構成した乗用式摘採機Ｃを例に挙げて説明したが、茶刈機の形態としては、摘採機ユニットＵに対してハンドルを取り付けた可搬式のもの、摘採機ユニットＵに自走台車を取り付けたもの、あるいは摘採機ユニットＵに管理用レール上を移動する台車を組み付けたレール走行式のもの等の形態が採り得るものでる。
　【００４７】
〔刈刃ユニットに対して駆動源を具える実施の形態〕
　また先の基本となる実施の形態は駆動源５を本体部２に対して具えるようにしたものであったが、これはこの本体部２から分離される刈刃体１０の周辺部材をモジュール化した刈刃ユニット１を軽量なものとするためである。従って駆動源５としてオイルモータ、電気モータ等軽量なものを用いた場合には、この駆動源５を図６に示すように刈刃ユニット１における往復駆動部１２の上方に対して具えるようにすることもできる。
　【００４８】
　駆動源５としてオイルモータを用いた場合には、適宜油圧経路の配管途中をワンタッチカップリングで着脱自在として刈刃ユニット１と本体部２との分断を図ることができ、更に本体部２が固定される走行台車Ｂ等に対して駆動用の油圧ポンプを搭載することで、茶刈機ユニットＵの軽量化も図ることができる。
　また駆動源５として電気モータを用いた場合には、適宜給電用配線の途中をジャック、プラグ等を用いてワンタッチで着脱自在として刈刃ユニット１と本体部２との分断を図ることができ、更に本体部２が固定される走行台車Ｂ等に対して駆動用の発電機を搭載することで、茶刈機ユニットＵの軽量化も図ることができる。
　【００４９】
〔係止機構の他の実施の形態〕
　また係止機構については、先の基本となる実施の形態ではこのものを側板１６に形成した直線状のスリット１６ａと、側板２２に具えたピン２２ａとによって構成としたが、要は刈刃ユニット１と本体部２との位置決めを簡易に行うことができ、このときカップリング要素同士の結合を行え得るような構造であればよいので、以下に示す実施の形態を採ることもできる。
　【００５０】
　図７に示す係止機構は、スリット１６ａの形状をＬ字形とすることで、このスリット１６ａとピン２２ａとがバヨネット方式で係合するようにしたものである。このような構造とすることで、刈刃ユニット１を本体部２に対して組み付ける際に、ピン２２ａがスリット１６ａの水平部における終端部に位置したときに、案内板２３と刈刃支持ガイド板１１の前後方向の位置決めが成され、更にピン２２ａがスリット１６ａの垂直部における下端部に位置したときに、案内板２３と刈刃支持ガイド板１１の上下方向の位置決めが成されるものである。
　【００５１】
　なお係止機構をこのような構造とする場合には、図７（ｂ）（ｃ）に示すように刈刃支持ガイド板１１の断面形状を段違いの水平部を有するものとすることで、低位置の水平部に案内板２３が載置状態となったときに、高位置の水平部の上面が案内板２３の上面よりも上方に位置するため、案内板２３側への茶葉Ａの移送を妨げることがない。
　【００５２】
〔カップリング要素の他の実施の形態〕
　またカップリング要素については、先の基本となる実施の形態では、凸部１５Ａと凹部５０Ａとが互いに水平方向に接近することで結合することができる構成としたが、要は入力軸１５と出力軸５０との結合を容易且つ確実に行うことができるような構造であればよいので、以下に示す実施の形態を採ることもできる。
　【００５３】
　まず図８（ａ）に示すカップリング要素は、凸部１５Ａ及び凹部５０Ａの形状を方形とすることで、これらが互いに垂直方向に接近することでのみ結合できる構成としたものである。
　【００５４】
　また図８（ｂ）に示すカップリング要素は、凹部５０Ａを入力軸１５に形成し、凸部１５Ａを出力軸５０に形成したものであって、更にこの実施の形態では入力軸１５の上端部がケーシング１２Ａの上面から突出しないようにしたものである。
　【００５５】
　上述した二形態のようなカップリング要素の構造を採る場合には、前出のバヨネット方式の係止機構（図７に示したスリット１６ａ及びピン２２ａ）とすることで、凸部１５Ａ及び凹部５０Ａが互いに垂直方向に接近して結合することが可能となるものである。そしてこのようなカップリング要素の構造を採ることで、入力軸１５と出力軸５０とが前後方向にずれた場合には互いに結合することができないため、互いの中心を確実に一致させた状態で結合させることができる。
　【００５６】
　また図８（ｃ）に示すカップリング要素は、入力軸１５及び出力軸５０自体をカップリング要素とするものであり、これら入力軸１５及び出力軸５０の形状を一例として方形としたものである。そしてスリーブＳを出力軸５０と、入力軸１５とに外嵌することで双方の結合を行うようにしたものである。
　【００５７】
　更にまたカップリング要素としては上述したものの他、図示は省略するがフレキシブルシャフトを用いることで出力軸５０と入力軸１５との結合を図るようにしてもよく、この場合には、刈刃ユニット１と本体部２との組み付けは、案内板２３と刈刃支持ガイド板１１との位置関係のみを正確に合わせればよいので、組み付け作業を更に簡素化することができる。
　【００５８】
〔刈刃ユニットの形態を異ならせた実施の形態〕
　また先の基本となる実施の形態においては本体部２の枠部材は、図１、２、３、５、６に示したように、上部フレーム２０の下方に対向して位置させた案内板２３を強度メンバーの一部として用いたものであったが、この部分の強度メンバーとしては図９に示すように、一例として角鋼管を適用した下部フレーム２４を用い、案内板２３についてはむしろ刈刃ユニット１の一部としてもよい。
　【００５９】
　すなわち、刈刃ユニット１の構成を刈刃支持ガイド板１１と案内板２３とを一体的に固定することで案内板２３を含んだものとし、これを本体部２に対して着脱自在に取り付けるものとする。もちろん案内板２３とダクト４５との間に他の部材が設けられる場合には、その部材までをも刈刃ユニット１の構成部材としてもよい。
　【００６０】
　またこの実施の形態での刈刃ユニット１の本体部２への装着は、図９（ａ）に示すように案内板２３の下方に対向させて下面板２５を具えることで、これら案内板２３と下面板２５とによって下部フレーム２４を挟持状態にするとともに、ビス１７等を用いて案内板２３を下部フレーム２４に固定して行うものとする。なお前記下面板２５は刈刃ユニット１の強度メンバーの一部としても機能することとなる。
　【００６１】
　また図９（ｂ）に示すように下面板２５を折り曲げることで、案内板２３に対して垂直な面となる位置決め部２５ａを形成して、この位置決め部２５ａと案内板２３の下面とによって下部フレーム２４の位置決めを確実に行えるような構造とすることもできる。
　更に図９（ｃ）に示すように、上述のような位置決め部２５ａに対向させて位置決め補助板２５ｂを具えることで、これら位置決め部２５ａと位置決め補助板２５ｂとの間に下部フレーム２４が嵌まり込むようにして、下部フレーム２４の位置決めをより確実に行えるような構造とすることもできる。
　【００６２】
　また図１０に示すように、前記下部フレーム２４を側板２１、側板２２から取り外せるような構成とすることもできるものであり、下部フレーム２４の両端部に取付ブラケット２４ａを形成するとともに、バックル２６やボルト２７等を用いて取付ブラケット２４ａと側板２１及び側板２２との接続を行うものとする。この場合、下部フレーム２４は刈刃ユニット１の構成部材となるものであり、図９に示した手段等によって案内板２３に固定されるものである。
　なお前記取付ブラケット２４ａを限りなく高く立ち上げ、一方、この取付ブラケット２４ａが組み付けられる側板２１、側板２２を限りなく短寸の部材として、あたかも取付ブラケット２４ａが本体部２の側板を形成するような形態となっても、もとより差し支えない。
　【００６３】
　【発明の効果】
　本発明によれば、茶刈機からの刈刃体１０の取り外し及び茶刈機への刈刃体１０の取り付けを、刈刃体１０と、この刈刃体１０を支持する刈刃支持ガイド板１１と、駆動源５から伝達される動力を刈刃体１０の往復運動に変換するための往復駆動部１２とを一体的に具えて成る刈刃ユニット１を構成するとともに、この刈刃ユニット１を茶刈機の本体部２に対して着脱自在に構成することで容易に且つ迅速に行うことができる。また本体部２と、刈刃体１０周辺部材等のそれぞれのモジュール化を図ることができ、異種仕様の茶刈機をより合理的に製造することが可能となる。
【図面の簡単な説明】
　【図１】
　本発明の茶刈機等における刈刃体の支持構造を適用した乗用式摘採機を示す斜視図及び茶刈機ユニットを拡大して示す斜視図である。
　【図２】
　刈刃ユニット及び本体部の一部並びにカップリング要素及び係止機構を拡大して示す斜視図である。
　【図３】
　刈刃ユニット及び本体部並びにこれらによって構成される茶刈機ユニットを示す側面図である。
　【図４】
　往復駆動部を示す分解斜視図である。
　【図５】
　本体部の形態を異ならせた実施の形態を示す斜視図である。
　【図６】
　刈刃ユニットに対して駆動源を具えた実施の形態を示す側面図である。
　【図７】
　係止機構の他の実施の形態を示す側面図である。
　【図８】
　カップリング要素の他の実施の形態を示す斜視図及び側面図である。
　【図９】
　案内板を刈刃ユニットの構成部材とした三種の実施の形態及びこの刈刃ユニットと本体部との着脱の様子を示す側面図である。
　【図１０】
　下部フレームを刈刃ユニットの構成部材とした実施の形態を示す正面図である。
　【図１１】
　従来の茶刈機における刈刃体の支持構造を示す縦断側面図及び平面図である。
　【符号の説明】
　１　　　刈刃ユニット
　２　　　本体部
　３　　　風送管
　３ａ　　分岐ノズル
　５　　　駆動源
　６　　　組付体
　１０　　刈刃体
　１１　　刈刃支持ガイド板
　１１ａ　孔
　１２　　往復駆動部
　１２Ａ　ケーシング
　１３　　ガイドピン
　１４　　エキセンプレート
　１４ａ　ニードルベアリング
　１４ｂ　軸受
　１５　　入力軸
　１５Ａ　凸部
　１６　　側板
　１６ａ　スリット
　１７　　ビス
　２０　　上部フレーム
　２１　　側板
　２２　　側板
　２２ａ　ピン
　２３　　案内板
　２３ａ　雌ねじ孔
　２４　　下部フレーム
　２４ａ　取付ブラケット
　２５　　下面板
　２５ａ　位置決め部
　２５ｂ　位置決め補助板
　２６　　バックル
　２７　　ボルト
　３０　　ファンユニット
　４０　　無端軌道
　４１　　収葉コンテナ
　４５　　ダクト
　５０　　出力軸
　５０Ａ　凹部
　１０１　摺動部
　１０２　歯
　１０３　エキセンプレート受入部
　Ａ　　　茶葉
　Ｂ　　　走行台車
　Ｃ　　　乗用式摘採機（茶刈機）
　Ｆ　　　フレーム
　Ｒ　　　ロッド
　Ｓ　　　スリーブ
　Ｕ　　　茶刈機ユニット